(57)【要約】【目的】  回転ドラムが支持される円柱形の軸の基部を、軸の回転防止のための非円形形状にすることなく円柱形状のままで、ケース成型の際に軸をインサート成型によってケースに立設且つ固定できるようにした巻尺を提供することを目的とする。【解決手段】  軸１の軸基部２に、その軸１を横断する通孔５を設け、且つその通孔５をケース成型のために注入したケース成型素材に埋没させて軸１をインサート成型によってケース７に立設する。  これにより、軸１は樹脂７１が固化することによって支持され、また、軸１の周囲に接触する樹脂７１と共に、軸１に形成する通孔５に入り込んだ樹脂７１によって軸１の回転が防止される。【選択図】  図１
2005147869.tif 000002
【特許請求の範囲】
【請求項１】
テープを周囲に巻回する回転ドラムを支持する少なくとも軸基部が円形の軸をケース成型と同時にインサート成型によってケースに立設した巻尺であって、前記軸の軸基部にはその軸を横断する通孔が設けられ、且つその通孔をケース成型のために注入された成型素材に埋没させて立設していることを特徴とする巻尺
【請求項２】
前記通孔が中央に向かって先細になっていることを特徴とする請求項１の巻尺
【請求項３】
テープを周囲に巻回する回転ドラムを支持する少なくとも軸基部が円形の軸をケース成型と同時にインサート成型によってケースに立設した巻尺であって、前記軸の軸基部の周面には凹が設けられ、且つその凹をケース成型のために注入された成型素材に埋没させて立設していることを特徴とする巻尺
【請求項４】
前記凹が内方に向かって先細になっていることを特徴とする請求項３の巻尺
【請求項５】
テープを周囲に巻回する回転ドラムを支持する少なくとも軸基部が円形の軸をケース成型と同時にインサート成型によってケースに立設した巻尺であって、前記軸の軸基部の端面には凹が設けられ、且つその凹をケース成型のために注入された成型素材に埋没させて立設していることを特徴とする巻尺
【請求項６】
前記凹が内方に向かって先細になっていることを特徴とする請求項５の巻尺
【請求項７】
前記軸基部が他の部位よりも太いことを特徴とする請求項５の巻尺
【請求項８】
前記軸基部の周面に溝が形成されていることを特徴とする請求項５の巻尺
【請求項９】
テープを周囲に巻回する回転ドラムを支持する少なくとも軸基部が円形の軸をケース成型と同時にインサート成型によってケースに立設した巻尺であって、前記軸の軸基部には遠心方向に突出する円形のひさしが設けられると共にそのひさしに軸と同一方向の通孔が設けられ、且つその通孔をケース成型のために注入された成型素材に埋没させて立設していることを特徴とする巻尺
【請求項１０】
前記軸が、ケースの所定の壁に設けた第１の開口に取り付けられる第１の蓋体に、立設されていることを特徴とする請求項１または請求項３または請求項５または請求項９の巻尺
【請求項１１】
前記軸の先端と対向するケースの壁に第２の開口が設けられ、その第２の開口に取り付けられる第２の蓋体に軸の先端が支持されていることを特徴とする請求項１０の巻尺
【請求項１２】
少なくとも軸基部がテープを周囲に巻回する回転ドラムを支持する少なくとも軸基部が円形の軸をケース成型と同時にインサート成型によってケースに立設する軸の立設方法であって、前記軸の軸基部にその軸を横断する通孔を設け、且つその通孔をケース成型のために注入した成型素材に埋没させて立設することを特徴とする軸の立設方法
【発明の詳細な説明】
【技術分野】
【０００１】
本発明は、巻尺に関するものである。
【背景技術】
【０００２】
今日、巻尺の多くは、測定用のテープを自動的に巻き取る自動巻取式のものが広く用いられており、それは、ケース内に立設する軸に、テープを周囲に巻回し且つそのテープを巻き込み方向に付勢する付勢手段が内装された回転ドラムを軸支してなる巻尺である。
すなわち、ケース内に立設する軸に、回転ドラムに有する通孔が嵌められ、且つ回転ドラムに内装する付勢手段となるコイルバネの端部が軸に形成されているスリットに係合されて回転ドラムが軸支されている。
【０００３】
その軸は、多くの場合、ケースを構成する２つの半ケースの一方の半ケースに取外不可に立設状態で設置される。その設置は、オンサートやインサートによって適宜に行われている。
特に、円柱形の軸を用いる場合、その立設した軸の回転を防止するために軸の設置側の基部（根元）の形状を非円形の形状にするのである。そして、非円形にするためには巻尺の取り扱われ方も考慮されて、例えば、ケースの落下等の衝撃にも耐えるようにと、ローレット加工以上の回転防止力を持たせるため、軸の端部を軸より太い金属等の非円形の形状としたり、また、軸部材とは別体の非円形の樹脂成型部材を取り付けていた。
【発明の開示】
【発明が解決しようとする課題】
【０００４】
しかして、上述の方法による軸の回転防止は、軸の基部が非円形を成すために軸径寸法よりも大きな寸法となり、また、軸基部の固定に際しても巻尺の取り扱われ方が考慮され、すなわち、ケースの落下等の衝撃による軸基部の弛みを阻止するために、必然的にその基部廻りの樹脂厚が増し、従って、成型に使用する樹脂の量も多く必要となっている。すなわち、大きい（重量増）ものの固定にはそれ相応の強度を以って固定しなければならないのである。
【０００５】
その樹脂量も、巻尺１個では僅かな量であってもこれが大量生産ともなると膨大な量となるこから、原価低減が極めて重要な今日の低価格競争の中においては経済的に不利なのである。また、軸の回転防止のための軸基部の非円形加工も相当な原価を要しての加工となっているのである。
従って、本発明は上述した問題点に鑑みてなされたものであり、巻尺製造に係る原価低減を可能とするため、円柱形の軸の基部を非円形形状にすることなく、円柱形状の軸をそのままケース成型の際にインサート成型によってケースに立設且つ固定できるようにした巻尺を提供することを目的とするものである。
【課題を解決するための手段】
【０００６】
本発明の要旨とするところの第１の態様は、テープを周囲に巻回する回転ドラムを支持する少なくとも軸基部が円形の軸をケース成型と同時にインサート成型によってケースに立設した巻尺であって、前記軸の軸基部にはその軸を横断する通孔が設けられ、且つその通孔をケース成型のために注入された成型素材に埋没させて立設していることを特徴とする巻尺である。
【０００７】
第２の態様は、テープを周囲に巻回する回転ドラムを支持する少なくとも軸基部が円形の軸をケース成型と同時にインサート成型によってケースに立設した巻尺であって、前記軸の軸基部の周面には凹が設けられ、且つその凹をケース成型のために注入された成型素材に埋没させて立設していることを特徴とする巻尺ある。
【０００８】
第３の態様は、テープを周囲に巻回する回転ドラムを支持する少なくとも軸基部が円形の軸をケース成型と同時にインサート成型によってケースに立設した巻尺であって、前記軸の軸基部の端面には凹が設けられ、且つその凹をケース成型のために注入された成型素材に埋没させて立設していることを特徴とする巻尺である。
【０００９】
第４の態様は、テープを周囲に巻回する回転ドラムを支持する少なくとも軸基部が円形の軸をケース成型と同時にインサート成型によってケースに立設した巻尺であって、前記軸の軸基部には遠心方向に突出する円形のひさしが設けられると共にそのひさしに軸と同一方向の通孔が設けられ、且つその通孔をケース成型のために注入された成型素材に埋没させて立設していることを特徴とする巻尺ある。
【００１０】
本発明の巻尺を詳しく説明すると、ケースとは、普通左右の半ケースが合わされて成っている測定用のテープを収容する部材であり巻尺の本体でもある。説明では半ケースも含めてケースと呼ぶものとする。
ケースを成型するケース成型素材としては、樹脂素材あるいは金属素材、例えば、溶融するアルミを型に流し込むダイキャストによって一体成型され、且つその成型の時に回転ドラムを軸支するための軸がケースの所定の部位にインサート成型によって立設される。すなわち、ケース成型の際に軸が同時に立設される。
【００１１】
軸は、少なくとも軸基部が円形（端面から見た形状）であり、その軸基部をケース成型素材内に埋没させた状態で設置される。
軸基部とは、軸の根元部分の適宜の範囲であり、軸基部の全部または一部をケースを形成するケース成型素材に埋没させることによってケースに立設させている。勿論、軸は全長に渡って軸基部と同じ円形（円柱状）となっていてもよい。
【００１２】
その軸の形態としては、軸の先端から軸基部に向って適宜の長さのスリットが設けられており、そのスリットに回転ドラムに内装するテープを巻き取るためのコイルバネの端部が係合される。
また、軸の先端には、その先端から内方に向かって雌ネジが螺刻されて、そこにケースの外方から挿通させた雄ネジが螺合し、そのネジの締め付けによってケース内の側壁や側壁に設けた係合部に軸の先端を固定できるようになっている形態のものもある。
そして、軸の素材も特に限定するものではなく、樹脂あるいは金属等の素材によって形成すればよい。
【００１３】
第１の態様においては、軸の基部にその軸を横断する通孔すなわち軸の基部に軸心とほぼ直角の方向に軸を貫通する通孔を設けて、その通孔をケースを形成するために注入される成型素材内に埋没させてインサート成型する。
通孔の形状や開口の大きさ等も特に限定するものではないが、軸のインサート成型の際にケース成型素材がその通孔内に流入するようにする。また、通孔をその中央に向かって先細にして充填性を上げてもよく、例えば、テーパー状にしてもよい。通孔の数もいくつでもよく、また、それぞれの方向も限定するものではない。
【００１４】
第２の態様においては、軸の基部の周面に凹を設けて、その凹をケースを形成するために注入される成型素材内に埋没させてインサート成型する。
凹の形状や開口の大きさそして深さ等も特に限定するものではないが、軸のインサート成型の際にケース成型素材がその凹内に流入するようにする。また、凹をその中央に向かって先細にして充填性を上げてもよく、例えば、テーパー状にしてもよい。凹の数もいくつでもよく、また、全てを同じ形状にしなくてもよい。
【００１５】
第３の態様においては、軸の基部の端面に凹を設けて、その凹をケースを形成するために注入される成型素材内に埋没させてインサート成型する。
凹の形状や開口の大きさそして深さ等も特に限定するものではないが、軸のインサート成型の際にケース成型素材がその凹内に流入するようにする。また、凹をその中央に向かって先細にして充填性を上げてもよく、例えば、テーパー状にしてもよい。勿論、凹の数もいくつでもよく、また、全てを同じ形状にしなくてもよい。
【００１６】
そして、軸の基部を他の部分よりも多少太くしてもよい。例えば、軸の周面や端部に円形のひさし状の小突条部を設けてもよい。また、小突条部の形態は、段状にしたり、テーパー状にしてもよい。また、軸の基部の周面に溝を形成してもよい。溝の形状や幅そして深さ等も特に限定するものではないが、インサート成型の際に樹脂あるいは金属がその溝内に容易に流入するようにする。本形態は第３の態様に用いることによって軸の抜けが阻止される。勿論、他の態様に用いてもよいことは言うまでもない。
【００１７】
第４の態様においては、軸の基部に遠心方向に突出する円形のひさしを設けると共にそのひさしに軸と同一方向の通孔を設けて、そのひさしをケースを形成するために注入される成型素材内に埋没させてインサート成型する。
ひさしの厚さは薄厚にするのがよい。また、通孔の形状や開口の大きさ等も特に限定するものではないが、軸のインサート成型の際にケース成型素材がその通孔内に流入するようにする。勿論、通孔の数もいくつでもよい。
【００１８】
そして、軸の先端と対向するケースの壁に、軸の先端を支持するようにしてもよく、例えば、軸の先端をケース内の側壁に設けた係合部に係着（嵌合等）させたり、あるいは、軸の先端から内方に向かっ雌ネジを螺刻し、そこにケースの外方から挿通させた雄ネジを螺合させ、そのネジの締め付けによってケース内の側壁や側壁に設けた係合部に軸の先端を固定してもよい。
【００１９】
軸を立設する巻尺の形態として、ケースの所定の壁に設けた第１の開口に取り付けられる第１の蓋体に、本軸を蓋体を形成するために注入される成型素材内に埋没させてインサート成型してもよい。そして、立設させる軸は上述のような形態で構成すればよい。
また、その軸の先端と対向するケースの壁に第２の開口を設けて、その第２の開口に取り付けられる第２の蓋体に軸の先端（先端付近も含む）が支持されるようにしてもよい。その支持形態は、上述のように、軸の先端をケース内の側壁に設けた係合部に係着（嵌合等）させたり、あるいは、軸の先端から内方に向かっ雌ネジを螺刻し、そこにケースの外方から挿通させた雄ネジを螺合させ、そのネジの締め付けによってケース内の側壁や側壁に設けた係合部に軸の先端を固定してもよい。
【００２０】
第１および第２の蓋体とは、前述の第１および第２の開口に取り付けられる部材である。そして、第１および第２の開口と第１および第２の蓋体の大きさや形状等は立設する軸等を考慮して適宜に決めればよい。蓋体の素材も特に限定するものではなく、例えば、ケースと同じ素材で形成したり、あるいは、異種の素材で形成してもよい。さらには、ケースの内部が透視できるように透明や半透明にしてもよい。
また、蓋体の開口への取り付け形態も特に限定するものではなく、蓋体が簡単に脱落したりまた弛まないように取り付け（固定）られる方法また構造になっていればよい。その具体的な取り付けとしては、嵌め込み（嵌合）やねじ込みまた別部材を用いての固定等である。砂塵等が入らないようにするのが望ましい。
【００２１】
以上のことから、軸がインサート成型によって立設される際、軸基部に形成されている第１の態様では軸を横断する通孔、第２の態様では周面に形成された凹、第３の態様では端面に形成された凹、第４の態様ではひさしに形成された通孔の内部にケースを成型するために注入されたケース成型素材が流入する。
そして、ケース成型素材が固化することによって軸が支持され、また、軸の周囲に接触するケース成型素材と共に、軸に形成する通孔または凹に入り込んだケース成型素材によって軸の回転が阻止される。
【発明の効果】
【００２２】
本発明の巻尺は以上のように構成されているので、円柱形の軸の基部を非円形の形状にすることなく、軸基部に少し加工を行うことだけで円柱形状の軸をそのままインサート成型によって立設且つ固定することができる。
従って、軸基部が大きくなることがないので、従来のように大きくなった軸基部の固定のためにケース成型素材の厚みを増やすといった対策をとる必要もなくなるので、使用するケース成型素材の量を低減することができる。また、軸基部の加工においても、従来のように相当な原価を要するものでなく単純な加工で済むので、軸基部の加工原価も低減することができる。
このことから、巻尺製造に係る原価を大幅に低減することができるので、原価低減に極めて高い効果を発揮するものである。
【発明を実施するための最良の形態】
【００２３】
本発明の巻尺を以下図面に従って説明すると、図１は、軸基部に通孔を形成した軸を示す図であり、左図は軸の斜視図で、１は軸、２は軸１の根元付近であるところの軸基部、３はテープを巻き取るコイルバネの内端部が係着されるスリット、４は軸１の先端を支持する雄ネジが螺合される雌ネジ、５は通孔で、インサート成型の際に流し入れたケース成型用の樹脂がこの通孔５内に流入する。
右図は軸がケースに立設された状態の断面図で、１は軸、７はケース、７１はケースを形成する樹脂である。樹脂７１は通孔５内にも入り込む。その樹脂７１が固化することによって軸１が支持され、また、軸１の周囲に接触する樹脂７１と共に、軸１に形成する通孔５内に入り込んだ樹脂７１によって軸１の回転が阻止される。図ではケース素材を樹脂としているが、金属ケースの場合はアルミ等の金属となる。
【００２４】
図２は、軸基部の周面に凹を形成した軸を示す図であり、左図は軸の斜視図で、１は軸、２は軸基部、３はスリット、４は雌ネジ、６は凹で、インサート成型の際に流し入れたケース成型用の樹脂がこの凹６内に流入する。
右図は軸がケースに立設された状態の断面図で、１は軸、７はケース、７１はケースを形成する樹脂である。樹脂７１は凹６内にも入り込む。その樹脂７１が固化することによって軸１が支持され、また、軸１の周囲に接触する樹脂７１と共に、軸１に形成する凹６内に入り込んだ樹脂７１によって軸１の回転が阻止される。図ではケース素材を樹脂としているが、金属ケースの場合はアルミ等の金属となる。
【００２５】
図３は、軸基部の端面に凹を形成した軸を示すの図であり、左図は軸の斜視図で、１は軸、２は軸基部、３はスリット、６は凹で、インサート成型の際に流し入れたケース成型用の樹脂がこの凹６内に流入する。
右図は軸がケースに立設された状態の断面図で、１は軸、７はケース、７１はケースを形成する樹脂である。樹脂７１は凹６内にも入り込む。その樹脂７１が固化することによって軸１が支持され、また、軸１の周囲に接触する樹脂７１と共に、軸１に形成する凹６内に入り込んだ樹脂７１によって軸１の回転が阻止される。図ではケース素材を樹脂としているが、金属ケースの場合はアルミ等の金属となる。
【００２６】
図４は、軸基部のひさしに通孔を形成した軸を示すの図であり、左図は軸の斜視図で、１は軸、２は軸基部、２１はひさし、３はスリット、５は通孔で、インサート成型の際に流し入れたケース成型用の樹脂がこの通孔５内に流入する。
右図は軸がケースに立設された状態の断面図で、１は軸、７はケース、７１はケースを形成する樹脂である。樹脂７１は通孔５内にも入り込む。その樹脂７１が固化することによって軸１が支持され、また、軸１の周囲に接触する樹脂７１と共に、軸１に形成する通孔５内に入り込んだ樹脂７１によって軸１の回転が阻止される。図ではケース素材を樹脂としているが、金属ケースの場合はアルミ等の金属となる。
【００２７】
図５は、軸が立設される他の形態のケースを示す図であり、これは、ケース７の側壁に設けられた第１の開口７２に取り付けられる第１の蓋体８に、軸１をインサート成型によって立設させたものである。７３は軸１の先端が係合する係合部であり、本図では、軸１の先端を係合部７３に係合させただけのものを示す。左図は巻尺ケースの斜視図、右図はケースの一部断面図である。
【００２８】
図６は、図５のケースの他の形態を示す図であり、軸１の先端と対向するケース７の側壁に第２の開口７４を設けて、その第２の開口７４に取り付けられる第２の蓋体９に軸１の先端を支持するための係合部９１を設けたものを示す。左図は巻尺ケースの斜視図、右図はケースの一部断面図である。
【図面の簡単な説明】
【００２９】
【図１】軸基部に通孔を形成した軸を示す図
【図２】軸基部の周面に凹を形成した軸を示す図
【図３】軸基部の端面に凹を形成した軸を示す図
【図４】軸基部のひさしに通孔を形成した軸を示す図
【図５】軸が立設される他の形態のケースを示す図
【図６】図５のケースの他の形態を示す図
【符号の説明】
【００３０】
１−軸，２−軸基部，２１−ひさし，３−スリット，４−雌ネジ，５−通孔，６−凹，７−ケース，７１−樹脂，７２−第１の開口，７３−係合部，７４−第２の開口，８−第１の蓋体，９−第２の蓋体，９１−係合部
【図１】
2005147869.tif 000003
【図２】
2005147869.tif 000004
【図３】
2005147869.tif 000005
【図４】
2005147869.tif 000006
【図５】
2005147869.tif 000007
【図６】
2005147869.tif 000008